(57)【特許請求の範囲】
【請求項１】
容器本体と、この容器本体内に載置される中容器と、これら中容器及び容器本体の全体を覆う蓋体とからなる包装用容器であって、
前記容器本体のフランジの内側に段部を形成し、この段部上に係止できる係止部を前記中容器の外周に形成して、当該中容器の前記容器本体に対して着脱自在な載置を可能にするとともに、前記係止部の内側に、これより立ち上がるフランジを形成し、
前記蓋体の、前記容器本体の段部上に位置することになる少なくとも一部分に、前記容器本体側のフランジと、前記中容器側のフランジとの間に形成される間隙内に入り得る内当てを形成し、
前記間隙は、前記内当てが内部に入った状態においても、前記内当てと前記係止部とが離間して、確保されていることを特徴とする包装用容器。
【請求項２】
前記中容器を容器本体内に載置して蓋体で覆ったとき、前記容器本体側のフランジと、中容器側のフランジとの高さが略同一となるようにしたことを特徴とする請求項１に記載の包装用容器。 
【発明の詳細な説明】
【技術分野】
【０００１】
本発明は、包装用容器に関し、特に、食品等を内容物として収納するための中容器を有した包装用容器に関するものである。
【背景技術】
【０００２】
中容器を有する包装用容器は、例えば、容器本体内に中容器を収納した状態で、ご飯やおかずを中容器内に入れる弁当用容器として重宝されているものである。勿論、容器本体と中容器は蓋体によって覆われる。このような、中容器を有する包装用容器としては、例えば特許文献１で提案されているような「二重包装容器」がある。
【０００３】
この特許文献１で提案されている二重包装容器は、「温度差で発生する水滴や、加熱時に発生する水蒸気による水滴を蓋から分離して滞留することのでき、手間をかけずに短時間で温めることのできる保温性に優れた二重包装容器を提供する」ことを目的としてなされたもので、図７に示すように、「外側容器本体とこれと一体に嵌着する内側容器とで構成され、この外側本体が、容器本体底部の周縁を立ち上げて立上り縁部を形成し、この立上り部の上部を外側に折曲げて段部を形成し、この段部の周縁を立上げ段差部を全周に亘って形成し、この段差部の周縁を立上げて内壁面を形成し、この内壁面を外側に折曲げて周縁部を形成し、段差部の適宜箇所に縦筋の凹部を複数個形成すると共に、立上り縁部に細い複数の縦条筋を形設して成り、かつ内側容器が、外側容器本体の立上り縁部の内側に嵌合する形状に形成し、その外周縁を外側に折返して、折返し片を形成し、折返し片の先端が段差部の内側端部に接合するように形成して成る」ものである。
【先行技術文献】
【特許文献】
【０００４】
【特許文献１】特開平９−２５５０４９号  広報、要約、代表図
【発明の概要】
【発明が解決しようとする課題】
【０００５】
この特許文献１で提案されている二重包装容器によれば、温度差で発生する水滴や、加熱時に発生する水蒸気による水滴を蓋から分離して滞留することができ、手間をかけずに短時間で温めることのできる保温性に優れた二重包装容器とすることができると考えられるが、次の点が解決できないのではないかと考えられる。
【０００６】
一般に、中容器を有する包装用容器では、これを構成している中容器、容器本体、およ
び蓋体が、合成樹脂シートを加熱しながら型成形することにより形成されることが多く、それぞれの寸法精度はそれほど良くないのが実状である。つまり、収納物を収納した中容器は、同じく収納物を収納した容器本体に対して少し隙間が存在した状態で載置されることになり得る。そうなると、収納物を収納した中容器を有する包装用容器は、配送時は勿論、店頭に並べる際の振動によって、特に中容器が容器本体に対してガタ付くことになり、折角綺麗に並べた収納物にバラ付きが生じたり、配列場所の崩れを発生させたりし、商品としての見栄えを悪くすることになる。
【０００７】
要するに、この種の中容器を有する包装用容器では、次の（ａ）の点の改善が要求されているのである。
（ａ）配送や店頭に並べる際に、中容器が容器本体等に対してガタ付くことがないようにすること
【０００８】
また、中容器を有する包装用容器を構成している中容器、容器本体、および蓋体は、合成樹脂シートを材料とするシート成形により形成されることが多いため、電子レンジにかけて「温め」を行う場合の十分な耐熱性を有することは少ない。このため、中容器を有する包装用容器を電子レンジにかけたとき、収納物、またはこれが含んでいる油分や水分が、包装用容器の剛性を保持している部分に付着していると、この部分に油分等が発した熱が直接伝わり、その部分を変形させてしまうことがある。そうなると、包装用容器の剛性を確保している部分の意味がなくなってしまい、結果として、容器の該当部分に大きな変形を生じることになる。
【０００９】
要するに、この種の中容器を有する包装用容器では、次の（ｂ）の点の改善が要求されているのである。
（ｂ）包装用容器の剛性を確保している部分に、収納物中の油分等が直接接触しないようにすること
【００１０】
さらには、この種の中容器を有する包装用容器においては、上記特許文献１に記載された発明も要求しているように、
（ｃ）蓋体内面に結露した水分が、中容器に収納した収納物に落下しないようにすること
も要求されるものであり、この種の包装用容器が店頭に陳列されることに鑑みれば、
（ｄ）収納物の視認が十分行えるようにするため、蓋体の天板を大きくすること
も必要になっている。
【００１１】
そこで、本発明者等は、この種の中容器を有する包装用容器について、上記（ａ）〜（ｄ）の要求すべてを満足するにはどうしたらよいか、について種々検討を重ねてきた結果、本発明を完成したのである。
【００１２】
すなわち、本発明の目的とするところは、
（ａ）配送や店頭に並べる際に、中容器が容器本体等に対してガタ付くことがないようにすること
（ｂ）包装用容器の剛性を確保している部分に、収納物中の油分等が直接接触しないようにすること
（ｃ）蓋体内面に結露した水分が、中容器に収納した収納物に落下しないようにすること
（ｄ）収納物の視認が十分行えるようにするため、蓋体の天板を大きくすること
の全てを満足することのできる中容器を有する包装用容器を提供することにある。
【課題を解決するための手段】
【００１３】
以上の課題を解決するために、まず、請求項１に係る発明の採った手段は、後述する最良形態の説明中で使用する符号を付して説明すると、
「容器本体１０と、この容器本体１０内に載置される中容器２０と、これら中容器２０及び容器本体１０の全体を覆う蓋体３０とからなる包装用容器１００であって、
容器本体１０のフランジ１１の内側に段部１２を形成し、この段部１２上に係止できる係止部２１を中容器２０の外周に形成して、当該中容器２０の容器本体１０に対して着脱自在な載置を可能にするとともに、係止部２１の内側に、これより立ち上がるフランジ２２を形成し、
蓋体３０の、容器本体１０の段部１２上に位置することになる少なくとも一部分に、容器本体１０側のフランジ１１と、中容器２０側のフランジ２２との間に形成される間隙４０内に入り得る内当て３１を形成し、
間隙４０は、内当て３１が内部に入った状態においても、内当て３１と係止部２１とが離間して、確保されていることを特徴とする包装用容器１００」
である。
【００１４】
すなわち、この請求項１に係る包装用容器１００は、容器本体１０、中容器２０、及び蓋体３０からなるものであることを前提とするものであり、図１〜図３に示すように、蓋体３０が、それぞれ収納物を収納した後の中容器２０及び容器本体１０の全体を覆うことになるものである。これらの容器本体１０、中容器２０、及び蓋体３０は、合成樹脂シートを材料とするシート成形によって個別に製造されるものであり、これにより、各材料の物性（耐熱性、剛性、色）を生かしながら、様々なデザインのものにすることを可能にしている。
【００１５】
この場合、中容器２０の深さを容器本体１０の半分程度として、容器本体１０内にご飯を詰め、その上におかずを収納した中容器２０を載置するようにすることもあるが、後述する実施形態に係る包装用容器１００では、中容器２０の深さを、その底面の一部が容器本体１０の底壁に接触する程度になるようにして、容器本体１０、中容器２０、および蓋体３０がシート成形されたものであっても、全体的な剛性を高め、当該包装用容器１００自体に豪華さを付与するようにしたものである。
【００１６】
勿論、この包装用容器１００においては、図３にも示すように、容器本体１０のフランジ１１の内側に段部１２を形成し、この段部１２上に係止できる係止部２１を中容器２０の外周に形成して、当該中容器２０の容器本体１０に対して着脱自在な載置を可能となるようにしてある。また、中容器２０にあっては、その係止部２１の内側に、これより立ち上がるフランジ２２が形成してあるが、後述する蓋体３０の内当て３１や、蓋体３０のフランジ３２及び容器本体１０のフランジ１１によって、例えば中容器２０内に収納物を入れたとしても、当該係止部２１が容易に変形しないようにしてある。したがって、配送や店頭に並べる際に、中容器が容器本体等に対してガタ付くことがないようになっている。
【００１７】
そして、容器本体１０内に中容器２０を載置させると、図３及び図６に示すように、容器本体１０側のフランジ１１と、中容器２０側のフランジ２２との間に間隙４０が形成される。一方で、蓋体３０の、容器本体１０の段部１２（中容器２０の係止部２１）上に位置することになる少なくとも一部分には、図６にて拡大して示すように、内当て３１が形成してあるから、当該蓋体３０で中容器２０を載置した容器本体１０の全体を覆うと、この内当て３１が、容器本体１０側のフランジ１１と中容器２０側のフランジ２２との間に形成される間隙４０内に入り得る状態となる。
【００１８】
この蓋体３０の内当て３１は、図３及び図６に示すように、下方に凸となる「突条」として形成されたもので、たとえ包装用容器１００の外側から外力が作用される場合であっても、屈曲部として屈曲して緩衝しやすくなっている。さらに、当該蓋体３０及び容器本体１０の周縁部の剛性を確保するため、蓋体３０の内当て３１の直ぐ外側に形成されたフランジ３２が、容器本体１０の水平なフランジ１１に重なっているため、増強効果により
容易には変形しないようになっている。後述する実施形態の内当て３１は蓋体３０の周縁部全周に形成してあるが、蓋体３０の周縁部の一部に形成したものであってもよい。
【００１９】
この内当て３１が、容器本体１０側のフランジ１１と、中容器２０側のフランジ２２との間に形成される間隙４０内に入り得るということは、図６に示すように、この内当て３１が、容器本体１０、中容器２０、および蓋体３０の位置関係を一定に保つことになることを意味している。つまり、この内当て３１は、
（ａ）配送や店頭に並べる際に、中容器２０が容器本体１０等に対してガタ付くがないようにすること
を実現しているのである。
【００２０】
ところで、収納物として食品を収納した包装用容器１００を電子レンジに掛ける場合を想定すると、食品中に必ず存在する水分または油分が発熱するのであるが、食品が何かに触れていれば発熱した熱は直に伝達される。また、中容器２０を有する包装用容器１００では、食品等の収納物は中容器２０内に直接入れることを想定しており、食品等が容器本体１０のフランジ１１や蓋体３０に直接接触することを想定していない。このため、もし、電子レンジに掛けているときに食品が容器本体１０のフランジ１１に接触していたとすると、フランジ１１には食品からの熱が直接伝えられることになる。容器本体１０のフランジ１１は、包装用容器１００全体の剛性を確保するためにも重要な部分であるが、このフランジ１１に熱が直接伝達されるとこのフランジ１１自体が変形する可能性があり、結果として電子レンジによる温めが終わった段階では、包装用容器１００全体が大きく変形している可能性がある。
【００２１】
そこで、本発明に係る包装用容器１００の、蓋体３０における内当て３１が、容器本体１０側のフランジ１１と、中容器２０側のフランジ２２との間に形成される間隙４０内に入り得るということは、当該包装用容器１００を電子レンジに掛ける場合における、容器本体１０のフランジ１１への隔壁となっていることを意味する。つまり、この蓋体３０の内当て３１は、図６に示すように、中容器２０内に収納した食品等が容器本体１０のフランジ１１や蓋体３０に接触することを防止する壁となっており、食品が直接接触することを防止しているのである。換言すれば、蓋体３０の内当て３１は、
（ｂ）包装用容器１００の剛性を確保している部分に、収納物中の油分等が直接接触しないようにすること
を実現しており、電子レンジに掛けたときの大きな変形を防止しているのである。
【００２２】
さらに、この内当て３１が、容器本体１０側のフランジ１１と、中容器２０側のフランジ２２との間に形成される間隙４０内に入り得るということは、蓋体３０の内面に結露した水分が、天板３４、これに続く立ち上げ部３５の各内面を伝って内当て３１の先端に至ると、間隙４０内に滴下することを意味する。つまり、この内当て３１は、
（ｃ）蓋体内面に結露した水分が、中容器に収納した収納物に落下しないようにすること
を実現しているのである。
【００２３】
そして、この蓋体３０の内当て３１は、蓋体３０のフランジ３２の直ぐ内側に位置する「突条」であるから、図１及び図４の（ａ）に示すように、天板３４や立ち上げ部３５からの視認を阻害することはない。つまり、この内当て３１は、
（ｄ）収納物の視認が十分行えるようにするため、蓋体３０の天板３４を大きくすること
を実現しているのである。
【００２４】
従って、この請求項１に係る包装用容器１００は、上記（ａ）〜（ｄ）の全てを満足で
きるものとなっているのである。
【００２５】
上記課題を解決するために、請求項２に係る発明の採った手段は、上記請求項１に記載の包装用容器１００について、
「中容器２０を容器本体１０内に載置して蓋体３０で覆ったとき、容器本体１０側のフランジ１１と、中容器２０側のフランジ２２との高さが略同一となるようにしたこと」
である。
【００２６】
この請求項２に係る包装用容器１００では、中容器２０を容器本体１０内に載置して蓋体３０で覆ったとき、容器本体１０側のフランジ１１と、中容器２０側のフランジ２２との高さが略同一となるのであり、しかも、蓋体３０の、容器本体１０の段部１２（中容器２０の係止部２１）上に位置することになる少なくとも一部分に内当て３１を形成したものであるから、中容器２０側のフランジ２２は、たとえ包装用容器１００の外側から外力が作用される場合であっても、当該内当て３１が屈曲部として屈曲して緩衝しやすくなっていて、当接しても変形しない程度に固定されていて、さらに中容器２０の係止部２１が容易に変形しないようにしてある。したがって、配送や店頭に並べる際に、中容器が容器本体等に対してガタ付くことがないようになっている。なお、この内当て３１は、図６に示すように、同じ高さの容器本体１０側のフランジ１１と中容器２０側のフランジ２２との間に形成されている間隙４０内に、何らの障害もなく円滑に入り得ることになる。
【００２７】
従って、この請求項２に係る包装用容器１００も、上記（ａ）〜（ｄ）の全てを、より一層満足できるものとなっているのである。
【発明の効果】
【００２８】
以上、説明した通り、本発明においては、
「容器本体１０と、この容器本体１０内に載置される中容器２０と、これら中容器２０及び容器本体１０の全体を覆う蓋体３０とからなる包装用容器１００であって、
容器本体１０のフランジ１１の内側に段部１２を形成し、この段部１２上に係止できる係止部２１を中容器２０の外周に形成して、当該中容器２０の容器本体１０に対して着脱自在な載置を可能にするとともに、係止部２１の内側に、これより立ち上がるフランジ２２を形成し、
蓋体３０の、容器本体１０の段部１２上に位置することになる少なくとも一部分に、フランジ１１と、フランジ２２との間に形成される間隙４０内に入り得る内当て３１を形成し、間隙４０は、内当て３１が内部に入った状態においても、内当て３１と係止部２１とが離間して、確保されていること」
にその構成上の主たる特徴があり、これにより、
（ａ）配送や店頭に並べる際に、中容器が容器本体等に対してガタ付くことがないようにすること
（ｂ）包装用容器の剛性を確保している部分に、収納物中の油分等が直接接触しないようにすること
（ｃ）蓋体内面に結露した水分が、中容器に収納した収納物に落下しないようにすること
（ｄ）収納物の視認が十分行えるようにするため、蓋体の天板を大きくすること
の全てを満足することのできる中容器２０を有する包装用容器１００を提供することができるのである。
【図面の簡単な説明】
【００２９】
【図１】容器本体１０、中容器２０、および蓋体３０からなる本発明に係る包装用容器１００の分解斜視図である。
【図２】同包装用容器１００の分解側面図である。
【図３】同包装用容器１００の拡大断面図である。
【図４】同包装用容器１００を構成する蓋体３０及び中容器２０を示すもので、（ａ）は蓋体３０の平面図、（ｂ）は中容器２０の平面図である。
【図５】同包装用容器１００を構成する容器本体１０の平面図である。
【図６】図４中の１−１線部の部分拡大断面図である。
【図７】特許文献１に記載された技術を示す縦断面図である。
【発明を実施するための形態】
【００３０】
次に、以上のように構成した各請求項に係る発明を、図面に示した実施の形態である包装用容器１００について説明すると、この実施形態の包装用容器１００は、図１及び図２に示したように、合成樹脂シートを熱成形してそれぞれ形成される容器本体１０、中容器２０、および蓋体３０とからなっているものである。中容器２０内には揚げたてのカラアゲが載置されることも想定して、耐油性及び耐熱性のある材料が使用されるが、この中容器２０が載置されるべき容器本体１０は、中容器２０程の、耐油性及び耐熱性は要求されていない。蓋体３０については、これを通して内部の視認がなされるから、透明または半透明材料を使用している。
【００３１】
容器本体１０は、その内側に中容器２０全体を収納して載置するものであり、図１及び図５に示したように、周縁部全体に水平なフランジ１１を形成するとともに、このフランジ１１の内側に段部１２を形成したものである。また、図１に示したように、フランジ１１の外側に延在して下端に位置する部分には係止部１３が形成してあるが、この係止部１３には、後述する蓋体３０の係止部３３が係止される。
【００３２】
容器本体１０内に載置される中容器２０の周縁部には、図１及び図３に示したように、容器本体１０側の段部１２上に係止または載置される係止部２１が水平状に突出した状態で形成してある。この係止部２１の直ぐ内側には、上方に凸となる水平なフランジ２２が形成してあり、このフランジ２２の高さは、当該中容器２０を容器本体１０内に収納したときのフランジ１１の高さと略同一となるようにしてある。
【００３３】
蓋体３０は、外周縁を形作る水平なフランジ３２を有しており、このフランジ３２の外周下端に形成してある係止部３３には、当該蓋体３０を容器本体１０に覆ったときに容器本体１０の係止部１３と係合して、蓋体３０の水平なフランジ３２が容器本体１０の水平なフランジ１１に重なっている。また、フランジ３２の直ぐ内側部分には、図３及び図６に示したように、内当て３１が形成してある。この内当て３１は、当該蓋体３０の、容器本体１０の段部１２（中容器２０の係止部２１）上に位置することになる少なくとも一部分、あるいは全周に形成したもので、下方に凸となる形状とした突条である。また、この内当て３１は、図６に示したように、容器本体１０側のフランジ１１と、中容器２０側のフランジ２２との間に形成される間隙４０内に入り得るものである。
【００３４】
なお、本実施例に係る蓋体３０においては、図３に示したように、上述した内当て３１の直ぐ内側に立ち上げ部３５が形成してあり、この立ち上げ部３５の上端に天板３４が一体的に形成してある。換言すれば、天板３４を支える立ち上げ部３５の下端に内当て３１が一体化してあるものである。
【符号の説明】
【００３５】
１００    包装用容器
１０    容器本体
１１    フランジ
１２    段部
１３    係止部
２０    中容器
２１    係止部
２２    フランジ
３０    蓋体
３１    内当て
３２    フランジ
３３    係止部
３４    天板
３５    立ち上げ部
４０    間隙
【図１】
0006637270.tif 000002
【図２】
0006637270.tif 000003
【図３】
0006637270.tif 000004
【図４】
0006637270.tif 000005
【図５】
0006637270.tif 000006
【図６】
0006637270.tif 000007
【図７】
0006637270.tif 000008